(57)【要約】  存在検出用のレーダーを有するＬＥＤベースの照明ユニット１０、１１０、２１０、３１０、４１０に関連する方法及び装置である。レーダー回路１４０、２４０、３４０Ａ、３４０Ｂ、４４０が、当該レーダー回路に少なくとも選択的に給電し、かつ、ＬＥＤに少なくとも選択的に給電するＬＥＤベースの照明ユニットの導電性配線２５、１２５、２２５、３２５、４２５に電気的に結合される。幾つかの実施態様では、レーダー回路に結合されたアンテナが、導電性配線から形成され、任意選択的に、ＬＥＤを流れる任意の電流から少なくとも部分的に絶縁されている。
2015530695.tif 000002
【特許請求の範囲】
【請求項１】
組み込まれたレーダーを有するＬＥＤベースの照明ユニットであって、
複数のＬＥＤと、
前記複数のＬＥＤを直並列構成に電気的に結合する導電性配線と、
前記導電性配線の第１の部分に電気的に結合されるレーダー回路と、
前記レーダー回路に電気的に結合されるレーダーアンテナと、
を含み、
前記導電性配線の前記第１の部分は、少なくとも選択的に前記レーダー回路に給電し、かつ、少なくとも選択的に前記複数のＬＥＤに給電する、ＬＥＤベースの照明ユニット。
【請求項２】
前記レーダーアンテナは、前記レーダー回路のレーダー周波数に実質的にマッチする長さを有する前記導電性配線の第２の部分から形成される、請求項１に記載のＬＥＤベースの照明ユニット。
【請求項３】
前記複数のＬＥＤは、複数の個別制御可能なＬＥＤグループを含む、請求項１に記載のＬＥＤベースの照明ユニット。
【請求項４】
前記複数の個別制御可能なＬＥＤグループは、前記レーダーアンテナを介して前記レーダー回路において受信されたレーダー周波数信号に基づいて制御される、請求項３に記載のＬＥＤベースの照明ユニット。
【請求項５】
前記レーダー回路は、前記複数のＬＥＤのうちの少なくとも幾つかと、上記直並列構成で接続される、請求項１に記載のＬＥＤベースの照明ユニット。
【請求項６】
前記レーダーアンテナは、前記導電性配線と実質的に共通の寸法を共有するアンテナ配線である、請求項１に記載のＬＥＤベースの照明ユニット。
【請求項７】
前記アンテナ配線及び前記導電性配線は、以前は互いに一体に形成されていた、請求項６に記載のＬＥＤベースの照明ユニット。
【請求項８】
前記レーダー回路及び前記複数のＬＥＤと電気的に通信するコントローラを更に含み、前記コントローラは、前記レーダー回路からの入力を介して、存在イベントを検出する、請求項１に記載のＬＥＤベースの照明ユニット。
【請求項９】
前記コントローラは、前記存在イベントに対応して、前記複数のＬＥＤの少なくとも１つの光出力特性を変更する、請求項８に記載のＬＥＤベースの照明ユニット。
【請求項１０】
前記コントローラは、前記存在イベントの検出を、遠隔受信器に送信する、請求項８に記載のＬＥＤベースの照明ユニット。
【請求項１１】
前記複数のＬＥＤは、複数の個別制御可能なＬＥＤグループを含み、前記コントローラは、前記存在イベントに対応して、前記複数の個別制御可能なＬＥＤグループのうちの少なくとも１つに提供される電流を調節する、請求項８に記載のＬＥＤベースの照明ユニット。
【請求項１２】
前記コントローラは、前記レーダー回路からの入力を介して、前記複数の個別制御可能なＬＥＤグループのうちの、存在イベントに位置的に対応するＬＥＤグループを決定し、前記存在イベントに位置的に対応するＬＥＤグループの前記少なくとも１つの光出力特性を管理する、請求項１１に記載のＬＥＤベースの照明ユニット。
【請求項１３】
前記レーダー回路は、前記導電性配線の前記第１の部分に結合されるコンデンサを含み、前記複数のＬＥＤは、パルス幅変調によって給電され、前記コンデンサは、前記パルス幅変調のハイ状態の間に、エネルギーを蓄積し、前記パルス幅変調のロー状態の間に、放電する、請求項１に記載のＬＥＤベースの照明ユニット。
【請求項１４】
レーダーをＬＥＤベースの照明ユニットに組み込む方法であって、
レーダー回路を、前記ＬＥＤベースの照明ユニットの複数のＬＥＤを電気的に相互に接続するＬＥＤ配線に電気的に接続するステップと、
前記ＬＥＤ配線のセグメントを、前記複数のＬＥＤを流れる電流の電流路から絶縁するステップと、
前記ＬＥＤ配線の前記セグメントを、前記レーダー回路のアンテナ入力部に接続するステップと、
を含む、方法。
【請求項１５】
前記ＬＥＤ配線の前記セグメントを電気的に絶縁するように、前記ＬＥＤ配線を切断するステップを更に含む、請求項１４に記載の方法。
【請求項１６】
前記レーダー回路は、前記複数のＬＥＤと直並列構成に接続される、請求項１４に記載の方法。
【請求項１７】
第２のレーダー回路を、前記ＬＥＤ配線に電気的に接続するステップと、
前記ＬＥＤ配線の第２のセグメントを、前記電流路から絶縁するステップと、
前記ＬＥＤ配線の前記セグメントを、前記第２のレーダー回路の第２のアンテナ入力部に接続するステップと、
を更に含む、請求項１４に記載の方法。
【請求項１８】
前記第１のレーダー回路は、前記複数のＬＥＤのうちの第１のグループと直並列構成にあり、前記第２のレーダー回路は、前記複数のＬＥＤのうちの異なる第２のグループと直並列構成にある、請求項１７に記載の方法。
【請求項１９】
互いに電気的に接続される複数のＬＥＤとレーダー回路とに給電する方法であって、
複数の第１の期間の間に、配線グリッドを介して、前記複数のＬＥＤに電力を提供するステップと、
複数の第２の期間の間に、前記配線グリッドを介して、前記レーダー回路に電力を提供するステップと、
を含み、
前記複数のＬＥＤは、前記複数の第２の期間の間は給電されず、
前記複数の第１の期間及び前記複数の第２の期間は、相互排他的である、方法。
【請求項２０】
前記複数の第１の期間の間に提供される電力を蓄積するステップを更に含み、前記蓄積された電力は、前記複数の第２の期間の間に、前記レーダー回路に提供される、請求項１９に記載の方法。
【発明の詳細な説明】
【技術分野】
【０００１】
[0001]  本発明は、概して、存在検出用の照明ユニットに関する。より具体的には、本明細書に開示される様々な発明の方法及び装置は、存在検出用のレーダーデバイスを使用するＬＥＤベースの照明ユニットに関する。
【背景技術】
【０００２】
[0002]  デジタル照明技術、即ち、発光ダイオード（ＬＥＤ）といった半導体光源に基づく照明は、従来の蛍光灯、ＨＩＤ及び白熱灯に代わる実行可能な代替案を提供する。ＬＥＤの機能上の利点及び便益には、他の多くの利点及び便益に加えて、高エネルギー変換及び光学効率、耐久性、並びに低操作コストが含まれる。ＬＥＤ技術の最近の進歩によって、多くの用途において様々な照明効果を可能にする効率的でロバストなフルスペクトル照明源が提供されている。これらの照明源が組み込まれている器具の幾つかは、例えば赤、緑、及び青といった様々な色を生成できる１つ以上のＬＥＤと、様々な色及び色変化照明効果を発生するためにＬＥＤの出力を独立制御するプロセッサとを含む照明モジュールを特徴とする。
【０００３】
[0003]  照明器具内の光源のグループを個別制御することを可能にするＬＥＤベースの照明器具、アレイ及びシステムが実現されている。例えばＬＥＤベースの照明アレイは、それぞれが１つ以上のＬＥＤを含み、個別制御される複数のＬＥＤセグメントを含む（例えばセグメントは個別にオン／オフにされる）。ＬＥＤセグメントをそれぞれ個別制御するために、コントローラが使用される。このようなＬＥＤベースの照明器具は、ＬＥＤセグメントの個別制御を可能にするが、コントローラがＬＥＤセグメントのそれぞれをどのように制御するかを決定することができるように、コントローラにデータを提供するセンサには、１つ以上の欠点がある。例えばパッシブ赤外線（ＰＩＲ）センサ及び／又は音響センサが、個人の存在に関するデータをコントローラに提供するように使用され、コントローラは、個人の存在が検出されるとＬＥＤセグメントをアクティブにする。しかし、ＰＩＲセンサは、嵩張り、過度の電力を消費し、及び／又は、熱に過度に敏感であることにより、照明ユニット内への組み込みのための選択肢を制限してしまう。更に、音響センサも嵩張り、過度の電力を消費し、及び／又は、過度に雑音に敏感であることにより、照明ユニット内への組み込みのための選択肢を制限してしまう。
【発明の概要】
【発明が解決しようとする課題】
【０００４】
[0004]  したがって、当技術分野において、既存の解決策の１つ以上の欠点に対処する照明ユニット及びアレイを提供する必要性がある。
【課題を解決するための手段】
【０００５】
[0005]  本開示は、選択的に制御されるセグメントを有し、存在検出を可能にするレーダーが具備されたＬＥＤベースの照明ユニット及びアレイのための発明に関する方法及び装置に関する。例えばレーダー回路は、当該レーダー回路に少なくとも選択的に給電し、かつ、ＬＥＤに少なくとも選択的に給電するＬＥＤベースの照明ユニットの導電性配線に電気的に結合されている。幾つかの実施形態では、レーダー回路に結合されるアンテナは、導電性配線から形成され、任意選択的に、ＬＥＤを流れる任意の電流から少なくとも部分的に絶縁される。
【０００６】
[0006]  一般的に、一態様において、組み込まれたレーダーを有するＬＥＤベースの照明ユニットが提供され、当該ＬＥＤベースの照明ユニットは、複数のＬＥＤと、ＬＥＤを直並列構成に電気的に結合する導電性配線と、導電性配線の第１の部分に電気的に結合されるレーダー回路とを含む。導電性配線の第１の部分は、少なくとも選択的にレーダー回路に給電し、かつ、少なくとも選択的にＬＥＤに給電する。レーダーアンテナが、レーダー回路に電気的に結合される。
【０００７】
[0007]  幾つかの実施形態では、レーダーアンテナは、レーダー回路のレーダー周波数に実質的にマッチ（合致）する長さを有する導電性配線の第２の部分から形成される。
【０００８】
[0008]  幾つかの実施形態では、ＬＥＤは、複数の個別制御可能なＬＥＤグループを含む。この実施形態の幾つかのバージョンでは、個別制御可能なＬＥＤグループは、レーダーアンテナを介してレーダー回路において受信されたレーダー周波数信号に基づいて制御される。
【０００９】
[0009]  幾つかの実施形態では、レーダー回路は、複数のＬＥＤのうちの少なくとも幾つかと、直並列構成で接続される。
【００１０】
[0010]  幾つかの実施形態では、レーダーアンテナは、導電性配線と実質的に共通の寸法を共有するアンテナ配線である。この実施形態の幾つかのバージョンでは、アンテナ配線及び導電性配線は、以前は互いに一体に形成されていた。
【００１１】
[0011]  幾つかの実施形態では、レーダー回路及びＬＥＤと電気的に通信するコントローラを更に含む。当該コントローラは、レーダー回路からの入力を介して、存在イベントを検出する。この実施形態の幾つかのバージョンでは、コントローラは、存在イベントに対応して、ＬＥＤの少なくとも１つの光出力特性を変更する。この実施形態の幾つかのバージョンでは、コントローラは、存在イベントの検出を、遠隔受信器に送信する。この実施形態の幾つかのバージョンでは、ＬＥＤは、複数の個別制御可能なＬＥＤグループを含み、コントローラは、存在イベントに対応して、複数の個別制御可能なＬＥＤグループのうちの少なくとも１つに提供される電流を調節する。この実施形態の幾つかのバージョンでは、コントローラは、レーダー回路からの入力を介して、複数の個別制御可能なＬＥＤグループのうちの、存在イベントに位置的に対応するＬＥＤグループを決定し、当該存在イベントに位置的に対応するＬＥＤグループの少なくとも１つの光出力特性を管理する。
【００１２】
[0012]  幾つかの実施形態では、レーダー回路は、導電性配線の第１の部分に結合されるコンデンサを含み、ＬＥＤは、パルス幅変調によって給電され、コンデンサは、パルス幅変調のハイ状態の間に、エネルギーを蓄積し、パルス幅変調のロー状態の間に、放電する。
【００１３】
[0013]  一般的に、別の態様では、レーダーをＬＥＤベースの照明ユニットに組み込む方法が提供され、当該方法は、レーダー回路を、ＬＥＤベースの照明ユニットの複数のＬＥＤを電気的に相互に接続するＬＥＤ配線に電気的に接続するステップと、ＬＥＤ配線のセグメントを、ＬＥＤを流れる電流の電流路から絶縁するステップと、ＬＥＤ配線のセグメントを、レーダー回路のアンテナ入力部に接続するステップとを含む。
【００１４】
[0014]  幾つかの実施形態では、当該方法は更に、ＬＥＤ配線のセグメントを電気的に絶縁するように、ＬＥＤ配線を切断するステップを含む。
【００１５】
[0015]  幾つかの実施形態では、レーダー回路は、ＬＥＤと直並列構成に接続される。
【００１６】
[0016]  当該方法は更に、第２のレーダー回路を、ＬＥＤ配線に電気的に接続するステップと、ＬＥＤ配線の第２のセグメントを、電流路から絶縁するステップと、ＬＥＤ配線のセグメントを、第２のレーダー回路の第２のアンテナ入力部に接続するステップと含む。この実施形態の幾つかのバージョンでは、第１のレーダー回路は、ＬＥＤのうちの第１のグループと直並列構成にあり、第２のレーダー回路は、ＬＥＤのうちの異なる第２のグループと直並列構成にある。
【００１７】
[0017]  一般的に、別の態様では、互いに電気的に接続される複数のＬＥＤとレーダー回路とに給電する方法が提供され、当該方法は、複数の第１の期間の間に、配線グリッドを介して、複数のＬＥＤに電力を提供するステップと、複数の第２の期間の間に、配線グリッドを介して、レーダー回路に電力を提供するステップと、を含み、複数のＬＥＤは、複数の第２の期間の間は給電されず、複数の第１の期間及び複数の第２の期間は、相互排他的である。当該方法は更に、複数の第１の期間の間に提供される電力を蓄積するステップを更に含み、蓄積された電力は、複数の第２の期間の間に、レーダー回路に提供される。
【００１８】
[0018]  本開示の目的で本明細書において使用される場合には、「ＬＥＤ」との用語は、任意のエレクトロルミネセントダイオード、又は、電気信号に呼応して放射線を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（一般に、約４００ナノメートルから約７００ナノメートルまでの放射波長を含む）可視スペクトルの様々な部分のうちの、１つ又は複数における放射を発生させることができるすべてのタイプの発光ダイオード（半導体及び有機発光ダイオードを含む）を指す。
【００１９】
[0019]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００２０】
[0020]  なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学素子（例えば拡散レンズ）を含むＬＥＤ等を指す。
【００２１】
[0021]  「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源を含む、様々な放射源のうちの任意の１つ以上を指すと理解すべきである。
【００２２】
[0022]  所与の光源は、可視スペクトル内、可視スペクトル外又は両者の組合せでの電磁放射を発生させる。したがって、「光」及び「放射」との用語は、本明細書では同義で使用される。更に、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射線を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００２３】
[0023]  「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００２４】
[0024]  「コントローラ」との用語は、本明細書では、概して、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウェア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウェアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００２５】
[0025]  様々な実施形態において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施形態において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウェア又はマイクロコード）を指して使用される。
【００２６】
[0026]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書において明示的に使用される用語には、本明細書に開示される特定の概念と最も整合性のある意味が与えられるべきであることを理解すべきである。
【図面の簡単な説明】
【００２７】
[0027]  図面中、同様の参照符号は、通常様々な図を通して同じ部分を指している。更に、図面は必ずしも縮尺通りではなく、概して、本発明の原理の説明に重きが置かれている。
【００２８】
【図１】[0028]  図１は、直並列構成に接続された複数のＬＥＤを有するＬＥＤベースの照明ユニットを示す。
【図２】[0029]  図２は、電源と、直並列構成に接続された複数のＬＥＤと、組み込まれたレーダー回路とを有するＬＥＤベースの照明ユニットの一実施形態を示す。
【図３】[0030]  図３は、電源と、直並列構成に接続された複数のＬＥＤと、組み込まれたレーダー回路とを有するＬＥＤベースの照明ユニットの別の実施形態を示す。
【図４】[0031]  図４は、電源と、直並列構成に接続された複数のＬＥＤと、組み込まれたレーダー回路とを有するＬＥＤベースの照明ユニットの別の実施形態を示す。
【図５】[0032]  図５は、電源と、直並列構成に接続された複数のＬＥＤと、複数のＬＥＤの電流帰路に組み込まれたレーダー回路とを有するＬＥＤベースの照明ユニットの別の実施形態を示す。
【図６】[0033]  図６は、受信したレーダー入力に応えて、ＬＥＤの光出力を調節する方法の一実施形態を示す。
【図７】[0034]  図７は、レーダーをＬＥＤベースの照明ユニットに組み込む方法の一実施形態を示す。
【発明を実施するための形態】
【００２９】
[0035]  ＬＥＤベースの照明器具及びアレイは、当該照明器具及びアレイ内の光源のグループが個別制御されることを可能にするように実現されている。このような照明器具は、光源のグループの個別制御を可能にするが、このような個別制御に使用されるセンサは、１つ以上の欠点がある。例えばセンサは、嵩張り、過度の電力を消費し、過度に熱に敏感で、及び／又は、過度に雑音に敏感であることにより、照明ユニット内への組み込みのための選択肢を制限してしまう。したがって、出願人は、当技術分野において、既存の照明ユニットの１つ以上の欠点を任意選択的に解決する、存在検出用のレーダーを有する照明ユニットを提供する必要があることを認識し、理解している。
【００３０】
[0036]  より一般的には、出願人は、存在検出用のレーダーデバイスを有するＬＥＤベースの照明ユニットに関する方法及び装置を提供することが有益であることを認識し、理解している。
【００３１】
[0037]  上記に鑑み、本明細書において開示される様々な発明方法及び装置は、組み込まれたレーダーデバイスを有する照明ユニットに関する。
【００３２】
[0038]  以下の詳細な説明において、限定ではなく説明の目的として、請求項に係る発明の深い理解を提供するために、特定の詳細を開示する代表的な実施形態が明記される。しかし、本開示の恩恵を受けた当業者であれば、本明細書に開示された特定の詳細から逸脱するが、本教示に従う他の実施形態も添付の特許請求の範囲内にあることは明らかであろう。更に、良く知られた装置及び方法の説明は、代表的な実施形態の説明を曖昧にしないために省略する。当該方法及び装置は、明らかに、請求項に係る発明の範囲内である。例えば本明細書に開示される方法及び装置の様々な実施形態は、ＬＥＤベースの照明ユニットのＬＥＤの光出力を調節するために、ＬＥＤベースの照明ユニットの少なくとも１つのレーダーからのデータを使用するのに特に適している。したがって、例示を目的として、請求項に係る発明は、しばしば、このような光出力調節実施態様と併せて説明される。しかし、本アプローチの他の構成及び応用も、請求項に係る発明の範囲又は精神から逸脱することなく、考えられる。例えば幾つかの実施形態では、ＬＥＤベースの照明ユニットの少なくとも１つのレーダーからのデータは、追加的に及び／又は代替的に、通行人の往来のモニタリング、セキュリティシステム用の活動のモニタリング、及び／又は、建物管理システム用の活動のモニタリングといった他の目的にも使用することができる。
【００３３】
[0039]  図１は、配線グリッド２５を介して互いに直並列構成で接続された複数のＬＥＤ２０Ａ〜Ｉを有するＬＥＤベースの照明ユニット１０を示す。ＬＥＤ２０Ａ〜Ｉは、互いに直列に接続されたＬＥＤのセットを３つ（２０Ａ〜Ｃ、２０Ｄ〜Ｆ及び２０Ｇ〜Ｉ）含み、これらの３セットは、それぞれ、互いに並列に接続されたＬＥＤ２０Ａ〜Ｉのうちの３つのＬＥＤを含む。電源３０が、ＬＥＤ２０Ａ〜Ｃからなる最初のセットのアノードと、ＬＥＤ２０Ｇ〜Ｉからなる最後のセットにおけるＬＥＤのカソードとの間に接続されている。電源３０は、ＬＥＤ２０に給電するように使用される。幾つかの実施形態では、電源３０は、電池及び／又は主電源といった電源によって給電されるＬＥＤドライバであってよい。幾つかの実施形態では、電源３０は、ＬＥＤ２０Ａ〜Ｉに提供される電力のパラメータを調節するコントローラを含む。
【００３４】
[0040]  幾つかの実施形態では、配線２５は、ＬＥＤ２０を、メッシュ構成となるように電気的及び機械的に相互に接続する金属ワイヤである。幾つかの実施形態では、配線２５は、ＬＥＤ２０がＰＣＢなしで提供されることを可能にする。例えば幾つかの実施形態では、ＬＥＤ２０は、配線２５に電気的に結合され、配線２５によってその全体が機械的に支持されてもよい。幾つかの実施形態では、配線２５は、剛性である、及び／又は、互いに対するＬＥＤ２０の位置決めを固定する。例えば金属メッシュワイヤが、ユーザによって、複数の形状に固定されたままで変形可能であり、これにより、ＬＥＤ２０の互いに対する位置に対する複数の調節が可能となる。このような金属メッシュワイヤ構成は、２次元（平ら）に配置されるか、又は、任意選択的に曲げられ及び／若しくは固定されたままで３次元形状となるように変形されてもよい（例えば、既存の構造体の上に嵌るように形成される、一時的に曲げられた３次元形状に形成される）。幾つかの実施形態では、配線２５は、相互接続された複数のＬＥＤを有する大型のメッシュタイプ金属配線グリッドから切り出されてもよい。幾つかの実施形態では、配線２５は、任意選択的に、追加の別個のメッシュタイプ金属配線グリッドと電気的及び／又は機械的に相互に接続されていてもよい。
【００３５】
[0041]  図２は、配線グリッド１２５を介して互いに直並列構成で接続された複数のＬＥＤ１２０Ａ〜Ｈを有するＬＥＤベースの照明ユニット１１０の一実施形態を示す。電源１３０は、ＬＥＤ１２０Ａ〜Ｃのアノードと、ＬＥＤ１２０Ｆ〜Ｈのカソードとの間に接続されている。電源１３０は、ＬＥＤ１２０Ａ〜Ｈに給電するように、また、レーダー回路１４０に給電するように使用される。幾つかの実施形態では、電源１３０は、電池及び／又は主電源といった電源によって給電されるＬＥＤドライバであってよい。幾つかの実施形態では、電源１３０は、ＬＥＤ１２０Ａ〜Ｈに提供される電力のパラメータを調節するコントローラを含む。
【００３６】
[0042]  レーダー回路１４０は、ＬＥＤ１２０Ｅと並列に、また、電力接続部１４１、１４２を介して、ＬＥＤ１２０Ｃ及びＬＥＤ１２０Ｈと直列となるように、配線グリッド１２５に接続されている。電力は、レーダー回路１４０に、電源１３０から、電力接続部１４１、１４２を介して供給される。配線部１４３、１４４は、レーダー回路１４０のアンテナ入力部に結合され、レーダー回路１４０用のアンテナとして機能する。配線部１４３、１４４は、電源１３０を介してＬＥＤ１３０Ａ〜Ｈ及びレーダー回路１４０に供給される電力から電気的に絶縁されている。幾つかの実施形態では、配線部１４３、１４４は、配線グリッド１２５の残りの部分全体に使用される配線と同じ寸法及び／又は材料構成である。これらの実施形態の幾つかのバージョンでは、配線部１４３、１４４は、配線グリッド１２５から切断される前に、配線グリッド１２５の一部を形成している。例えば、幾つかの実施形態では、配線グリッド１２５から切断される前に、配線部１４３は、ＬＥＤ１２０Ｄのアノード側の配線１２５に接続され、配線部１４４は、ＬＥＤ１２０Ｄのカソード側の配線に接続されている。
【００３７】
[0043]  レーダー回路１４０は、パッシブ及び／又はアクティブレーダーとしての動作に必要な電気的構成要素を含む。幾つかの実施形態では、レーダー回路１４０は、周波数発生要素、周波数受信要素及びコントローラのうち１つ以上を含む。コントローラは、周波数発生要素と連動して、発信ＲＦレーダー信号を作成し、及び／又は、周波数受信要素と連動して、受信ＲＦ信号を、動き、存在及び／又は他の特徴を見つけるべく分析してもよい。幾つかの実施形態では、レーダー回路１４０は、約１．９５ＧＨｚの中心周波数を任意選択的に使用するマイクロパワーインパルスレーダー（ＭＩＲ）である。幾つかの実施形態では、配線部１４３、１４４の合計長さは、レーダー回路１４０によって生成される及び／又は配線部１４３、１４４を介してレーダー回路１４０によって受信されるＲＦ信号の波長の約半分である。
【００３８】
[0044]  幾つかの実施形態では、レーダー回路１４０は、電源１３０といった１つ以上のデバイスと通信する。例えばレーダー回路１４０は、レーダー回路１４０からＲＦ通信信号を送信する、及び／又は、（例えばＬＥＤ１２０Ａ〜Ｈのうちの１つ以上のＬＥＤ及び／又は別個のＬＥＤの光出力を直接的に又は間接的に制御することによって）電源１３０において受信される符号化光を生成する。更に、例えばレーダー回路１４０は、配線グリッド１２５を使用して、Ｉ２Ｃ及び／又は他のプロトコルを使用するコントローラ１３０と通信する。幾つかの実施形態では、電源１３０は、レーダー回路１４０から受信した入力に基づいて、ＬＥＤ１２０Ａ〜Ｈの１つ以上の光出力特性を調節する。例えば、幾つかの実施形態では、コントローラ１３０は、レーダー回路１４０から受信した入力が、レーダー回路１４０の付近に個人が存在することを示す場合に、ＬＥＤ１２０Ａ〜Ｈの輝度を増加させる。
【００３９】
[0045]  幾つかの実施形態では、図２のＬＥＤベースの照明ユニット１１０は、図１のＬＥＤ１２０Ｉを省略し、配線グリッド２５におけるその場所にレーダー回路１４０を置き、配線部１４３、１４４を形成するために配線グリッド２５の一部を切断することによって作成される。幾つかの実施形態では、レーダー回路１４０は、ＬＥＤベースの照明ユニットの複数のＬＥＤのうちの１つ以上のＬＥＤと並列接続し、配線部１４３、１４４を形成するために、ＬＥＤベースの照明ユニットの配線グリッドの一部が切断されることによって、ＬＥＤベースの照明ユニット内に組み込まれる。幾つかの実施形態では、独自の（つまり、配線グリッドの一部から形成されたものではない）アンテナを有するレーダー回路が、ＬＥＤベースの照明ユニットの複数のＬＥＤのうちの１つ以上のＬＥＤに給電する配線への接続を介して、当該ＬＥＤベースの照明ユニット内に組み込まれる。
【００４０】
[0046]  図３は、複数のＬＥＤ２２０Ａ〜Ｈを有するＬＥＤベースの照明ユニット２１０の別の実施形態を示す。電源２３０が、ＬＥＤ２２０Ａ〜Ｃのアノードと、ＬＥＤ２２０Ｆ〜Ｈのカソードとの間に接続されている。電源２３０は、ＬＥＤ２２０Ａ〜Ｈに給電し、レーダー回路２４０に給電するように使用される。幾つかの実施形態では、電源２３０は、電源によって給電されるＬＥＤドライバである。レーダー回路２４０は、ＬＥＤ２２０Ｅと並列に、また、電力及びアンテナ接続部２４１、２４２を介して、ＬＥＤ２２０Ｃ及びＬＥＤ２２０Ｈと直列になるように、配線グリッド２２５に接続されている。電力は、電源２３０から、電力及びアンテナ接続部２４１、２４２を介して、レーダー回路２４０に供給される。配線部２４３、２４４も、レーダー回路２４０に、電力及びアンテナ接続部２４１、２４２において結合され、レーダー回路２４０のアンテナとして機能する。レーダー回路２４０に提供される電力は、電力接続部２４１、２４２につながる各配線部２４３、２４４の一部上を運ばれ、各配線部２４３、２４４の一部（即ち、電力及びアンテナ接続部２４１、２４２から遠位の一部）は、レーダー回路２４０に給電する電力からの電流を伝導しない。幾つかの実施形態では、配線部２４３、２４４は、配線グリッド２２５の残りの部分全体に使用される配線と同じ寸法及び材料構成である。これらの実施形態の幾つかのバージョンでは、配線部２４３、２４４は、配線グリッド２２５から切断される前に、配線グリッド２２５の一部を形成している。例えば、幾つかの実施形態では、配線グリッド２２５から切断される前に、配線部２４３は、ＬＥＤ２２０Ｄのアノード側の配線に接続され、配線部２４４は、ＬＥＤ２２０Ｄのカソード側の配線に接続されている。
【００４１】
[0047]  レーダー回路２４０は、パッシブ及び／又はアクティブレーダーとしての動作に必要な電気的構成要素を含む。レーダー回路２４０は、レーダー回路１４０と、１つ以上の共通特徴を任意選択的に共有してもよい。幾つかの実施形態では、レーダー回路２４０は、電源２３０といった１つ以上のデバイスと通信する。幾つかの実施形態では、図３のＬＥＤベースの照明ユニット２１０は、図１のＬＥＤ１２０Ｉを省略し、配線グリッド２５におけるその場所にレーダー回路２４０を置き、配線部２４３、２４４を形成するために配線グリッド２５の一部を切断することによって作成される。
【００４２】
[0048]  幾つかの実施形態では、レーダー回路２４０によって生成されるレーダー信号は、周波数では、ＬＥＤ２２０Ａ〜Ｈの駆動信号よりも高いが、電力では、かなり低い。幾つかの実施形態では、ＬＥＤ２２０Ａ〜Ｈ及びレーダー回路２４０に給電するための駆動電圧は、ＬＥＤ２２０がオフである期間においてレーダー回路２４０がアクティブであるように構成され、また、駆動電圧は、ＬＥＤ２２０が、レーダー信号に干渉しないように調整される。例えば、幾つかの実施形態では、コンデンサがレーダー回路２４０内に組み込まれ、レーダー信号の周波数と、ＬＥＤ２２０を駆動するパルス幅変調（ＰＷＭ）信号の周波数とが合せられる。コンデンサは、ＬＥＤ２２０がアクティブである期間の間、ＰＷＭ信号のハイ状態の間にエネルギーを蓄積し、レーダー回路２４０は、ＬＥＤ２２０が非アクティブである期間の間、ＰＷＭ信号のロー状態の間に、蓄積されたエネルギーを、レーダー信号を送信及び／又は受信するために使用する。このような例では、レーダーがアクティブである割合は、ＬＥＤ２２０のデューティサイクルによって決定され、また、これは、レーダー回路２４０の所望の動作を可能とするために、十分に高いレベルに設定される。任意選択的に、レーダー回路２４０に隣接して接続されるＬＥＤのうちの１つ以上のＬＥＤ（即ち、ＬＥＤ２２０Ｃ、２２０Ｅ及び／又は２２０Ｈ）は、これらのＬＥＤが、レーダーがアクティブである時には給電されない及び／又は接続されないことを確実にする制御電子部品と対にされていてもよい。
【００４３】
[0049]  図４は、直並列構成に接続された複数のＬＥＤ３２０と、２つの組み込まれたレーダー回路３４０Ａ、３４０Ｂとを有するＬＥＤベースの照明ユニット３１０の別の実施形態を示す。各レーダー回路３４０Ａ、３４０Ｂは、任意選択的に、図３のレーダー回路２４０について説明したのと同様に、ＬＥＤ３２０と直並列構成で組み込まれている。
【００４４】
[0050]  電源３３０は、ＬＥＤ３２０及びレーダー回路３４０Ａ、３４０Ｂに電気的に接続され、それらに給電する。幾つかの実施形態では、電源３３０は、電源によって給電されるＬＥＤドライバである。レーダー回路３４０Ａは、電力及びアンテナ接続部３４１Ａ、３４２Ａを介して、配線グリッド３２５に接続され、レーダー回路３４０Ｂは、電力及びアンテナ接続部３４１Ｂ、３４２Ｂを介して、配線グリッド３２５に接続されている。配線部３４３Ａ、３４４Ａは、レーダー回路３４０Ａに、電力及びアンテナ接続部３４１Ｂ、３４２Ｂにおいて結合され、レーダー回路３４０Ａのアンテナとして機能する。配線部３４３Ｂ、３４４Ｂは、レーダー回路３４０Ｂに、電力及びアンテナ接続部３４１Ｂ、３４２Ｂにおいて結合され、レーダー回路３４０Ｂのアンテナとして機能する。レーダー回路３４０Ａ、３４０Ｂは、パッシブ及び／又はアクティブレーダーとしての動作に必要な電気的構成要素を含む。レーダー回路３４０Ａ、３４０Ｂは、レーダー回路１４０及び／又は２４０と１つ以上の共通特徴を任意選択的に共有してもよい。
【００４５】
[0051]  第１のコントローラ３５０Ａが、レーダー回路３４０Ａと電源回路３３０Ｂとの間に直列に接続され、複数のＬＥＤ３２０の電流帰路にある。第２のコントローラ３５０Ｂは、レーダー回路３４０Ｂと直列に接続され、複数のＬＥＤ３２０の電流帰路にある。幾つかの実施形態では、コントローラ３５０Ａ、３５０Ｂは、１つのＬＥＤの代わりに、配線３２５内に位置的に配置される。幾つかの実施形態では、コントローラ３５０Ａ、３５０Ｂは、１つのＬＥＤと組み合わされて（例えば１つのＬＥＤのすぐ横で）配線内に配置される。各コントローラ３５０Ａ、３５０Ｂは、その中を流れる電流量を制御し、そうすることによって、各コントローラ３５０Ａ、３５０Ｂの上流の電流帰路に接続されているＬＥＤ３２０の光出力を制御する。コントローラ３５０Ａは、レーダー回路３４０Ａ、コントローラ３５０Ｂ及び／又は電源３３０と通信する。コントローラ３５０Ｂは、レーダー回路３４０Ｂ、コントローラ３５０Ａ及び／電源３３０と通信する。通信は、有線及び／又は無線の通信（例えばＩＣ２又は他の２ワイヤバス、ＬＥＤ３２０のうちの１つ以上のＬＥＤ又は他のＬＥＤを介して送信される符号化光、及び／又は、ＲＦ通信信号）を利用する。構成要素３３０、３４０Ａ、３４０Ｂ、３５０Ａ及び／又は３５０Ｂ間の通信を介して、ＬＥＤ３２０の特定のＬＥＤグループの光出力が、レーダー回路３４０Ａ、３４０Ｂからの検出に基づいて、個別調節される（例えば調光される、オンオフに切り替えられる、及び／又は、色調節される）。例えば、対応するレーダー回路３４０Ａ、３４０Ｂが個人の存在を検出すると、１つ以上のＬＥＤグループの輝度が、コントローラ３５０Ａ及び／又は３５０Ｂを介した電流制御操作によって増加される。
【００４６】
[0052]  図４には、２つのレーダー回路３４０Ａ、３４０Ｂ及び２つのコントローラ３５０Ａ、３５０Ｂのみが示されるが、本開示の恩恵を受けた当業者であれば、追加のＬＥＤ、レーダー及び／又はコントローラが、レーダーからの入力に基づいて個別制御される追加の制御可能なＬＥＤグループを作成するように、組み込まれてもよいことは認識及び理解できるであろう。
【００４７】
[0053]  また、本明細書では、コントローラ３５０Ａ、３５０Ｂが図示され説明されるが、本開示の恩恵を受けた当業者であれば、レーダーからの入力に基づいてＬＥＤの１つ以上のグループの光出力を個別制御するために、追加の及び／又は代替のデバイスを使用してもよいことは認識及び理解できるであろう。例えば、直列のＬＥＤのグループは、電界効果トランジスタ（ＦＥＴ）と並列に接続されているＬＥＤを選択的に短絡させるために、ＬＥＤのグループのうちの１つ以上のＬＥＤと並列に接続される当該ＦＥＴを使用して制御される。例えば、各ＦＥＴの状態は、対応するＬＥＤグループのＬＥＤを短絡させる（ＬＥＤを「オフ」にする）か、又は、対応するＬＥＤグループのＬＥＤの給電を可能にする（ＬＥＤを「オン」にする）か、個別に操作される。
【００４８】
[0054]  図５は、直並列構成で接続された複数のＬＥＤ４２０を有するＬＥＤベースの照明ユニット４１０の別の実施形態を示す。レーダー回路４４０は、複数のＬＥＤ４２０の電源４３０への電流帰路に位置付けられる。配線４２５は、レーダー回路４４０のアンテナとして機能する配線セグメント４４３を形成するように、２つのＬＥＤ４２０のカソード側で、レーダー回路４４０の上方で切断され、また、電流の代替流路を回避するために、同じ２つのＬＥＤのアノード側で切断されている。レーダー回路４４０は、電力接続部４４１、４４２を介して、電流帰路における配線グリッド４２５に接続される。電力は、レーダー回路４４０に、電源４３０から、電力接続部４４２、４４２を介して供給される。
【００４９】
[0055]  レーダー回路４４０は、その中を流れる電流量を制御する回路を含み、そうすることによって、電流帰路においてレーダー回路４４０の上流に接続されているＬＥＤ４２０の光出力を制御する。受信したＲＦレーダー信号に基づいて、レーダー回路４４０は、電流制御を介して、レーダー回路４４０の電流帰路において上流に接続されたＬＥＤ４２０の光出力を調節する。図５には、コントローラが一体にされている単一のレーダー回路４４０のみが示されているが、本開示の恩恵を受けた当業者であれば、レーダーにおいて受信されたＲＦ信号に基づいて、個別に制御される追加の制御可能なＬＥＤグループを作成するために、追加のＬＥＤと、コントローラが一体にされているレーダー回路とを組み込んでもよいことを認識及び理解できるであろう。
【００５０】
[0056]  幾つかの実施形態では、本明細書に説明される照明ユニットは、ユーザまでの距離が比較的小さい（例えば２メートル未満）及び／又はレーダー検出の分解能が比較的高い構成に組み込まれてもよい。このような構成では、照明ユニットの１つ以上のレーダーは、ユーザのジェスチャを検出することができ、照明ユニットの光源は、ユーザのジェスチャに基づいて制御される。例えば腕及び／又は手のジェスチャが認識される。
【００５１】
[0057]  幾つかの実施形態では、本明細書に説明される照明ユニットは、ビーム形成の原理を利用してフェーズドスキャニングアレイレーダーを形成するように、協調的に動作させられる複数のレーダーと共に実現されてもよい。フェーズドスキャニングアレイは、複数のレーダーからなり、レーダー信号は、当該レーダー信号を所望の方向にステアリングするように建設的又は相殺的干渉を提供するように、各レーダーから放射された信号の位相をシフトすることによって形成される。ビーム形成とは、一般に、レーダー信号の受信及び／又は送信の方向性を制御するために使用される信号処理技術を指す。フェーズドスキャニングアレイレーダーでは、幾つかのレーダーが、同じ信号源を使用するが、様々なアンテナに供給される信号間に遅延を導入する。レーダー信号が放射されると、それらは組み合わされ、これにより、位相遅延が、干渉パターンを引き起こす。これにより、室内の様々場所をレーダーが走査できるようにするビームが形成される。幾つかの実施形態では、フェーズドスキャニングアレイは、様々な長さの複数のワイヤを有する単一のレーダーを使用して実現されてもよい。様々な長さのワイヤは、必要な干渉パターンを作成するように、レーダー信号を遅延させるために使用される。この建設的及び相殺的干渉は、レーダーの主要なパワーを、部屋全体ではなく、部屋の一部に向けるように使用される。これにより、室内の人の位置特定が可能となり、特定の識別された位置に基づいて、照明ユニットの光源の個別的な制御を可能にする（例えば個人にスポットライトを当てる、個人の場所及び／又は個人の周りの光出力を増加させる）。
【００５２】
[0058]  本明細書において説明されるように、レーダーのアンテナは、レーダーによって使用される周波数のうちの少なくとも１つに実質的にマッチ（合致）する長さを有する。例えば、幾つかの実施形態では、１．９５ＧＨｚの中心周波数を有するＭＩＲレーダーは、約４ｃｍのアンテナ長を有する。更に、例えば、幾つかの実施形態では、８〜１２．５ＧＨｚの周波数を有するＸバンドレーダーは、約１ｃｍのアンテナ長を有する。更に、例えば、幾つかの実施形態では、Ｋバンドレーダーは、約０．５ｃｍのアンテナ長を有する。
【００５３】
[0059]  幾つかの実施形態では、本明細書において説明されるレーダーは、追加的に及び／又は代替的に、パッシブレーダーとして使用され、環境からＲＦ信号を捕捉する。様々な長さのアンテナを有する複数のレーダーが、任意選択的に、照明ユニットの全体に使用されてもよい。アンテナの長さが様々であることによって、照明ユニットは、広範囲にわたって様々な周波数のＲＦ信号を捕捉することができる。例えば、２．４又は５ＧＨｚ範囲内のワイヤレスインターネットだけでなく、９００／１８００ＭＨｚ範囲で動作するＧＳＭ（登録商標）から来る信号を区別できるように、様々な長さのアンテナを有する複数のレーダーが使用されてもよい。幾つかの実施形態では、個人が持ち運ぶパーソナルデバイスに共通する信号の検出を介して個人の存在を検出するように、パッシブレーダーが使用されてもよい。例えば、移動ワイヤレスインターネット信号のパッシブ検出は、ワイヤレス接続性を有するタブレットデバイスと共にユーザが移動すると生じる。照明ユニットは、この移動ワイヤレスインターネット信号が存在を示すと決定し、その決定を、別のデバイスに送信する、及び／又は、その決定に基づいて、照明ユニットの１つ以上の特徴を変更する。更に、例えば照明ユニットは、ＧＳＭ（登録商標）信号の検出は、ユーザが存在するということを示すと決定する。
【００５４】
[0060]  幾つかの実施形態では、パッシブ及びアクティブレーダーの両方が（２つの別個のレーダーとして又は単一のレーダーの２つの別個のモードとして）使用される。例えば、レーダーは、エネルギーを節約するために、アクティブ及びパッシブモードの両方においてアクティブである。例えば、最初は、レーダーは、パッシブモードにあり、パッシブレーダーがモバイルパーソナルデバイスの存在を検出すると、当該レーダーは、アクティブモードに切り替わって、室内のユーザの特定の場所を決定してもよい。
【００５５】
[0061]  幾つかの実施形態では、照明ユニットの１つ以上のレーダーは、照明ユニットの形状を決定し、当該照明ユニットの形状に依存して、所望の光パターンを作成するように照明ユニットの光出力の構成を調節するために、周囲領域からのＲＦ信号をモニタリングするように使用されてもよい。例えば、幾つかの実施形態では、照明ユニットは、多種多様の形状及び／又はサイズに形成される（例えばＬＥＤ及び配線は、より長いＬＥＤ及び配線の「シート」から切り出されてもよい）。照明ユニット内の複数のレーダーは、通信し、レーダーの互いに対する位置は分かっている。レーダーにおいて受信されたＲＦ信号の差を比較することによって、照明ユニットの形状及び／又はサイズが決定され、それに応じて、１つ以上の光出力特性が（例えば所望の光分布パターンを達成するために）調節される。
【００５６】
[0062]  幾つかの実施形態では、局所的に検出された存在又はジェスチャを使用して、光効果を、ＬＥＤ構造体の対応するセグメントにおいてのみ作成する。例えば、光効果は、存在又はジェスチャを検出するレーダーに対応するＬＥＤグループにおいてのみ実施される。更に、例えば、光効果は、受信された１つ以上のＲＦレーダー信号の分析を介して決定される存在及び／又はジェスチャの場所に対応する、ＬＥＤ構造体の対応セグメントにおいてのみ実施される。例えば、自然なフェードイン効果、タイムアウト期間付きの効果及びフェードアウト効果が、検出された存在に応えて使用され、エンドユーザに向けて快適な経験が作り出される。幾つかの実施形態では、複数のレーダーからの入力に基づいて「フォローミー（follow me）」タイプの効果が実施される。例えば、このフォローミータイプの効果は、履歴を管理する、パターンを認識する、及び／又は、学習アルゴリズムに基づいて、方向及び進路を予測し、先読み光効果が作り出されることによって実施される。更に、例えばレーダーを介して検出された存在に関する情報は、ＬＥＤ照明ユニット全体で共有される。例えば、局所的な存在を検出すると、ＬＥＤ構造体全体が均一な光効果を作り出すか、又は、「存在を検出したセグメント」が高輝度の光を生成し、隣接セグメントが中間輝度の光を生成し、室内のその他のセグメントが最低輝度の光を生成する。
【００５７】
[0063]  図６は、受信したレーダー入力に応えてＬＥＤの光出力を調節する方法の一実施形態を説明する。他の実施形態は、これらのステップを、違う順番で行い、特定のステップを省略し、並びに／又は、図６において説明されるステップとは異なる及び／若しくは追加となるステップを行ってもよい。幾つかの実施形態では、コントローラ３５０Ａ、３５０Ｂのコントローラ、レーダー回路１４０、２４０、３４０Ａ、３４０Ｂ、４４０のコントローラ、及び／又は、電源１３０、２３０、３３０、４３０のコントローラといったコントローラが、図６のステップを実行する。ステップ６００において、ＲＦ入力がレーダーアンテナを介して受信される。例えばレーダー回路１４０、２４０、３４０Ａ、３４０Ｂ及び／又は４４０のうちの１つが、そのアンテナを介して、ＲＦ入力を受信する。ＲＦ入力は、レーダーがパッシブモードで動作しているときでも、アクティブモードで動作しているときでも受信される。ステップ６０５において、ＲＦ入力に応えて、調節されるべき１つ以上のＬＥＤが特定される。例えば当該１つ以上のＬＥＤは、どのレーダー回路がＲＦ入力を受信したのかに基づいて特定される。ステップ６１０において、ＲＦ入力に応えて、特定されたＬＥＤの状態が変更される。ＬＥＤの状態を変更するために、例えば電源１３０、２３０、３３０、４３０の１つ以上のパラメータが調節される。更に、例えばコントローラ３５０Ａ、３５０Ｂ及び／又はレーダー回路４４０は、ＲＦ入力信号に応えて、特定のＬＥＤを流れる電流を調節する。
【００５８】
[0064]  図７は、レーダーをＬＥＤベースの照明ユニットに組み込む方法の一実施形態を説明する。他の実施形態は、これらのステップを、違う順番で行い、特定のステップを省略し、並びに／又は、図７において説明されるステップとは異なる及び／若しくは追加となるステップを行ってもよい。ステップ７００において、配線によってマトリクス構造に接続された複数のＬＥＤが特定される。ステップ７０５において、レーダー回路が、配線に電気的に結合される。ステップ７１０において、レーダー回路に電気的に結合されるレーダーアンテナを形成するように、配線が任意選択的に使用される。例えば、本明細書において説明されたように、配線の、以前は一体に形成されていた部分が任意選択的に切断されて、レーダーアンテナが形成される。幾つかの他の実施形態では、レーダーアンテナは、配線以外の他の構造体から形成される。
【００５９】
[0065]  幾つかの発明実施形態を本明細書に説明し例示したが、当業者であれば、本明細書において説明した機能を実行するための、並びに／又は、本明細書において説明した結果及び／若しくは１つ以上の利点を得るための様々な他の手段及び／若しくは構造体を容易に想到できよう。また、このような変更及び／又は改良の各々は、本明細書において説明される発明実施形態の範囲内であるとみなす。より一般的には、当業者であれば、本明細書において説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書において説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外にも実施可能であることを理解されるべきである。本開示内容の発明実施形態は、本明細書において説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示内容の本発明の範囲内に含まれる。
【００６０】
[0066]  本明細書において定義されかつ用いられた定義はすべて、辞書の定義、参照することにより組み込まれた文献における定義、及び／又は、定義された用語の通常の意味に優先されて理解されるべきである。
【００６１】
[0067]  なお、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【００６２】
[0068]  請求項に登場する任意の参照符号は、便宜上、提供されているに過ぎず、当該請求項を限定するものとして解釈されるべきではない。
【００６３】
[0069]  特許請求の範囲だけでなく、上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解されるべきである。米国特許庁特許審査手続便覧の第２１１１．０３項に記載される通り、「〜からなる」及び「本質的に〜からなる」といった移行句のみが、制限又は半制限移行句である。
【図１】
2015530695.tif 000003
【図２】
2015530695.tif 000004
【図３】
2015530695.tif 000005
【図４】
2015530695.tif 000006
【図５】
2015530695.tif 000007
【図６】
2015530695.tif 000008
【図７】
2015530695.tif 000009
【国際調査報告】
2015530695.tif 000010
2015530695.tif 000011